(57)【要約】      （修正有）【課題】顧客サービスにおいて、安全な認証方法を提供し、顧客へのサービスのスケジューリングを行う。【解決手段】顧客通信システム１００において、サービス要求の認証は、顧客のアクセスデバイス１１０Ａから、個人識別番号、指紋、写真及び／又はハードウェア識別子をゲートキーパ１２５に送信すること又はゲートキーパー１２５から、アクセスデバイス１１０Ａの顧客に質問することによって、成し遂げられる。ＣＲＭシステム１２０Ａは、顧客からのサービス要求のキューを管理するインテリジェントパイプラインを含み、サービス要求の対応可能時間をスケジューリングする。【選択図】図１
2020113308.tif 000002
【特許請求の範囲】
【請求項１】
アクセスデバイスであって、
ディスプレイと、
ユーザー入力と、
顧客関係管理システムへの通信を開始するように構成される入出力と、
前記顧客関係管理システムから認証要求を受信し、該認証要求に応答して、顧客及び／又は顧客のアクセスデバイスを識別するためのデジタル識別データを、プロセッサがソフトウェアを実行することにより実現されるゲートキーパーに自動的に与えるように構成される認証エージェントであって、前記認証要求は、前記顧客関係管理システムの識別子を含む、認証エージェントと、
前記認証エージェントへの前記ディスプレイを介してのアクセスを制限するように構成されるアクセス制御部と、
少なくとも前記認証エージェントを実行するように構成されるプロセッサと、
を備える、アクセスデバイス。
【請求項２】
前記ゲートキーパーは、前記アクセスデバイス上にアクセス制御部を含み、該アクセス制御部は、前記アクセスデバイスにログインするために構成される、請求項１に記載のデバイス。
【請求項３】
前記デジタル識別データは、前記顧客関係管理システムを介して前記ゲートキーパーに与えられる、請求項１又は２に記載のデバイス。
【請求項４】
前記認証エージェントは、前記デジタル識別データを暗号化するように構成される、請求項１〜３のいずれか１項に記載のデバイス。
【請求項５】
アクセスデバイスであって、
ディスプレイと、
ユーザー入力と、
顧客関係管理システムへの通信を開始するように構成される入出力と、
顧客関係管理システムから認証要求を受信し、該認証要求に応答して、顧客及び／又は顧客のアクセスデバイスを識別するためのデジタル識別データを、プロセッサがソフトウェアを実行することにより実現されるゲートキーパーに自動的に与えるように構成される認証エージェントと、
人である顧客サービスエージェントからコールバックのための応対可能時間を受信し、これらの時間を前記アクセスデバイスのユーザーのカレンダーと比較するように構成されるスケジューリングロジックと、
少なくとも前記認証エージェント又は前記スケジューリングロジックを実行するように構成されるプロセッサと、
を備える、アクセスデバイス。
【請求項６】
前記スケジューリングロジックは、前記ディスプレイ上に時間を自動的に表示するように構成され、前記表示される時間は、前記受信された応対可能時間に含まれ、また、前記カレンダー内で応対可能として示される、請求項５に記載のデバイス。
【請求項７】
前記受信された応対可能時間は、特定の前記顧客サービスエージェントに関連付けられる、請求項５又は６に記載のデバイス。
【請求項８】
前記受信された応対可能時間は、特定のトピックに基づいて応対可能である、請求項５〜７のいずれか１項に記載のデバイス。
【請求項９】
前記認証エージェントへの前記ディスプレイを介してのアクセスを制限するように構成されるアクセス制御部を更に備える、請求項５〜８のいずれか１項に記載のデバイス。
【請求項１０】
顧客関係管理システムであって、
顧客サービス要求の発信元から受信された、顧客及び／又は顧客のアクセスデバイスを識別するためのデジタル識別データを用いて、該顧客サービス要求の該発信元を自動的に認証するように構成される認証ロジックと、
パイプラインロジックと、
を備え、前記パイプラインロジックは、
人である顧客サービスエージェントを要求パイプラインに割り当てるように構成されるエージェント割当てロジックと、
前記顧客サービス要求を前記要求パイプラインに入れるように構成される仕分けロジックと、
前記要求パイプライン内の顧客サービス要求の順序を維持するように構成される順序付けロジックと、
を含む、顧客関係管理システム。
【請求項１１】
前記デジタル識別データは、生体認証データを含む、請求項１０に記載のシステム。
【請求項１２】
前記エージェント割当てロジックは、顧客サービス要求を前記要求パイプラインに入れるために使用される特徴に基づいて、前記顧客サービスエージェントを割り当てるように構成される、請求項１０又は１１に記載のシステム。
【請求項１３】
前記特徴は、アカウント残高又はサービス要求履歴を含む、請求項１２に記載のシステム。
【請求項１４】
前記エージェント割当てロジックは、前記顧客サービスエージェントを複数の要求パイプラインに割り当てるように構成される、請求項１０〜１３のいずれか１項に記載のシステム。
【請求項１５】
前記仕分けロジックは、前記発信元の前記認証に基づいて、前記顧客サービス要求を前記要求パイプラインに入れるように構成される、請求項１０〜１４のいずれか１項に記載のシステム。
【請求項１６】
前記仕分けロジックは、前記発信元が認証されたためにのみ入手可能である情報に基づいて、前記顧客サービス要求を前記要求パイプラインに入れるように構成される、請求項１０〜１５のいずれか１項に記載のシステム。
【請求項１７】
前記仕分けロジックは、顧客サービス要求履歴に基づいて、前記顧客サービス要求を前記要求パイプラインに入れるように構成される、請求項１０〜１６のいずれか１項に記載のシステム。
【請求項１８】
前記仕分けロジックは、アカウント残高に基づいて、前記顧客サービス要求を前記要求パイプラインに入れるように構成される、請求項１０〜１７のいずれか１項に記載のシステム。
【請求項１９】
前記順序付けロジックは、前記発信元の認証に基づいて、前記顧客サービス要求を前記要求パイプラインから別の要求パイプラインに移動させるように構成される、請求項１０〜１８のいずれか１項に記載のシステム。
【請求項２０】
前記順序付けロジックは、認証された発信元からの顧客サービス要求を優先するように構成される、請求項１０〜１９のいずれか１項に記載のシステム。
【請求項２１】
前記パイプラインロジックは、前記顧客サービス要求において要求されるサービスを提供するために必要とされる時間の長さを推定するように構成される推定ロジックを更に含む、請求項１０〜２０のいずれか１項に記載のシステム。
【請求項２２】
前記パイプラインロジックは、前記顧客サービス要求に応答して、コールバックをスケジューリングするように構成されるスケジューリングロジックを更に含む、請求項１０〜２１のいずれか１項に記載のシステム。
【請求項２３】
広告サーバーを更に備え、該広告サーバーは、前記顧客サービス要求の前記発信元が認証されたために入手可能になる情報に基づいて、広告を選択するように構成される、請求項１０〜２２のいずれか１項に記載のシステム。
【請求項２４】
広告サーバーを更に備え、該広告サーバーは、顧客のアカウント残高又は顧客サービス要求履歴に基づいて広告を選択するように構成される、請求項１０〜２３のいずれか１項に記載のシステム。
【請求項２５】
顧客サービス要求を処理する方法であって、
顧客関係管理システムが、顧客サービス要求を受信するステップと、
顧客関係管理システムが、前記顧客サービス要求の発信元を認証するステップと、
顧客関係管理システムが、前記顧客サービス要求を要求パイプラインに入れるために、前記発信元の前記認証に基づいて、要求パイプラインを選択するステップと、
顧客関係管理システムが、前記発信元の前記認証に基づいて広告を選択するステップと、
顧客関係管理システムが、前記発信元が認証されたためにのみ入手可能である情報に基づいて、前記顧客サービス要求において要求されるサービスを提供するステップと、を含む、方法。
【請求項２６】
前記要求パイプラインの前記選択は、前記発信元が認証されたために入手可能である情報に基づく、請求項２５に記載の方法。
【請求項２７】
前記情報は、アカウント残高又はサービス要求履歴を含む、請求項２５又は２６に記載の方法。
【請求項２８】
前記広告の前記選択は、前記発信元が認証されたたために入手可能である情報に基づく、請求項２５〜２７のいずれか１項に記載の方法。
【請求項２９】
前記情報は、アカウント残高又はサービス要求履歴を含む、請求項２５〜２８のいずれか１項に記載の方法。
【発明の詳細な説明】
【技術分野】
【０００１】
［関連出願の相互参照］
本出願は、２０１５年９月１０日に出願の米国非仮特許出願第１４／８５０，１４２号の継続出願であり、その出願は２０１５年７月１４日に出願の米国非仮特許出願第１４／７９８，４６８号の一部継続出願及び２０１５年８月２０日に出願の米国非仮特許出願第１４／８３１，１２９号の一部継続出願である。これらの出願の開示は引用することにより本明細書の一部をなす。
【０００２】
本発明は顧客管理の分野にあり、より具体的には、顧客認証に関連する。
【背景技術】
【０００３】
顧客サービスは、多くの場合、顧客がコールセンターに電話をかけ、通話することによって提供される。そのような電話の第１のステップが通常、発信者を認証することである。発信者が或るサービスプロバイダーから別のサービスプロバイダーへと引き継がれるとき、多くの場合に認証が繰り返されなければならない。顧客及びコールセンタースタッフは、このプロセスに慣れてしまっている。
【発明の概要】
【０００４】
発信者を認証するプロセスが、クライアントデバイスの能力を用いて助長される。幾つかの実施形態において、発信者の認証は、クライアントデバイスを自動的に認証することによって達成される。クライアントデバイスの認証は、任意選択で、クライアントデバイスに記憶されるか、又は入力されるデータを通信することによって成し遂げられる。このデータは、個人識別番号、パスワード、生体認証データ等を含む場合がある。認証プロセスは、顧客と顧客サービスエージェントとの間のテキスト、音声及び／又はビデオ通信に適用することができる。
【０００５】
本発明の様々な実施形態は、顧客通信システムであって、デジタル識別データを受信し、該デジタル識別データをあらかじめ記憶された顧客認証データと比較することにより、該デジタル識別データを承認するように構成されるゲートキーパーと、アクセスデバイスから顧客サービス要求を受信し、該顧客サービス要求をエージェントインターフェースに接続するように構成される顧客関係管理システムとを備え、前記顧客関係管理システムは、少なくとも２つの方法を用いて、前記顧客サービス要求の発信元を認証するように構成される認証ロジックを含み、前記２つの方法は、ａ）前記エージェントインターフェースに質問をし、該質問への応答を承認することと、ｂ）前記顧客サービス要求の前記発信元から受信されたデジタル識別データを前記ゲートキーパーに与え、該ゲートキーパーから前記デジタル識別データの自動化された承認を受信することと、を含み、前記顧客関係管理システムは、前記顧客サービス要求の前記発信元の前記認証後にのみ、前記エージェントインターフェースに安全な顧客データを与えるように更に構成される、顧客通信システムを含む。
【０００６】
本発明の様々な実施形態は、アクセスデバイスであって、ディスプレイと、ユーザー入力と、顧客関係管理システムへの通信を開始するように構成される入出力と、顧客関係管理システムから認証要求を受信し、該認証要求に応答してデジタル識別データをゲートキーパーに自動的に与えるように構成される認証エージェントであって、前記認証要求は、前記顧客関係管理システムの識別子を含む、認証エージェントと、前記認証エージェントへの前記ディスプレイを介してのアクセスを制限するように構成されるアクセス制御部と
、少なくとも前記認証エージェントを実行するように構成されるプロセッサと、を備える、アクセスデバイスを含む。
【０００７】
本発明の様々な実施形態は、顧客サービス要求を管理する方法であって、遠隔アクセスデバイスから前記顧客サービス要求を受信することと、前記アクセスデバイスに認証要求を自動的に送信することと、前記認証要求に応答して、前記アクセスデバイスからデジタル識別データを受信することと、前記デジタル識別データをゲートキーパーに与えることと、前記ゲートキーパーから、前記デジタル識別データの承認を受信することと、安全な顧客データを検討するか、又は該安全な顧客データにアクセスする許可を与えることであって、該許可は、前記承認を受信するのに応答してエージェントインターフェースに与えられ、該エージェントインターフェースは、顧客サポートエージェントと前記アクセスデバイスとの間のオーディオ、テキスト又はビデオ通信のために構成されることと、を含む、方法を含む。
【０００８】
本発明の様々な実施形態は、顧客関係管理システムであって、顧客サービス要求の発信元から受信されたデジタル識別データを用いて、該顧客サービス要求の該発信元を自動的に認証するように構成される認証ロジックと、パイプラインロジックと、を備え、前記パイプラインロジックは、顧客サービスエージェントを要求パイプラインに割り当てるように構成されるエージェント割当てロジックと、前記顧客サービス要求を前記要求パイプラインに入れるように構成される仕分けロジックと、前記要求パイプライン内の顧客サービス要求の順序を維持するように構成される順序付けロジックと、を含む、顧客関係管理システムを含む。
【０００９】
本発明の様々な実施形態は、顧客サービス要求を処理する方法であって、顧客サービス要求を受信することと、前記顧客サービス要求の発信元を認証することと、前記顧客サービス要求を要求パイプラインに入れるために要求パイプラインを選択することであって、該選択は、前記発信元の前記認証に基づくことと、前記発信元の前記認証に基づいて広告を選択することと、前記顧客サービスにおいて要求される前記サービスを提供することであって、前記サービスの提供は、前記発信元が認証されたためにのみ入手可能である情報に基づくことと、を含む、方法を含む。
【図面の簡単な説明】
【００１０】
【図１】本発明の種々の実施形態による、顧客通信システムを示す図である。
【図２】本発明の種々の実施形態による、アクセスデバイスの更なる詳細を示す図である。
【図３】本発明の種々の実施形態による、顧客関係管理システムの更なる詳細を示す図である。
【図４】本発明の種々の実施形態による、顧客サービス要求を管理する方法を示す図である。
【図５】本発明の種々の実施形態による、パイプラインロジックの更なる詳細を示す図である。
【図６】本発明の種々の実施形態による、要求パイプラインを示す図である。
【図７】本発明の種々の実施形態による、スケジュールマッチングを示す図である。
【図８】本発明の種々の実施形態による、顧客サービス要求を管理する方法を示す図である。
【発明を実施するための形態】
【００１１】
本発明の種々の実施形態を使用することを通して、顧客関係管理（ＣＲＭ）が改善される。例えば、顧客の身元の認証を、顧客サービスエージェント担当者による手動認証の代わりに、又はそれに加えて、自動化することができる。自動化された認証は通常、認証プ
ロセスの速度及び／又はセキュリティを高める。本明細書において使用されるときに、「自動認証」というフレーズは、顧客サービスエージェントによるアクションを必ずしも必要とすることなく、コンピューター及び／又は通信デバイスによって実行される認証である。対照的に、「手動認証」は、例えば、顧客に具体的な質問をすることによって、サービスエージェントによって実行される認証を指すために使用される。自動認証及び手動認証はいずれも、個人識別番号（ＰＩＮ：Personal Identification Number）を入力すること、指紋を提供することのような、顧客によって実行される何らかのアクションを含む可能性がある。
【００１２】
図１は、本発明の種々の実施形態による、顧客通信システム１００を示す。顧客通信システム１００は、１つ以上のアクセスデバイス１１０（１１０Ａ、１１０Ｂ、１１０Ｃ等を個々に付されている）を含む。アクセスデバイス１１０は、ネットワーク１１５を介して１つ以上の顧客関係管理（ＣＲＭ）システム１２０（１２０Ａ、１２０Ｂ等を個々に付されている）と通信するように構成される。ネットワーク１１５は、電話網、コンピューターネットワーク（例えば、インターネット）及び／又は何らかの他の通信ネットワークとすることができる。その通信はデジタルデータを含み、任意選択で、アナログオーディオ及び／又は画像データも含む。ＣＲＭシステム１２０は、Salesforce社又はZendesk社のような企業から市販される従来のＣＲＭシステムに共通の特徴を含むことができる。しかしながら、本明細書において更に説明されるように、ＣＲＭシステム１２０は、更なる独自の特徴を含む。幾つかの実施形態において、ＣＲＭシステム１２０は、従来のＣＲＭシステムに加えて、インターフェース／シェルとして動作するように構成される。
【００１３】
１人の顧客が、２つ以上のアクセスデバイス１１０に関連付けられる場合がある。例えば、顧客は、顧客がそれを通してＣＲＭシステム１２０にアクセスする電話、タブレット及びパーソナルコンピューターを有することができる。これらのデバイスを用いて、異なる企業に関連付けられる異なるＣＲＭシステム１２０とインタラクトすることができる。
【００１４】
顧客通信システム１００は、１つ以上のゲートキーパー（GateKeeper）１２５を更に含む。ゲートキーパー１２５は、デジタル識別データの信憑性を承認することによって、情報及びリソースへのアクセスを制御する（例えば、許可する）ように構成される。ゲートキーパー１２５は、任意選択で、ＣＲＭシステム１２０Ａの一体部分である。しかしながら、幾つかの実施形態において、ゲートキーパー１２５は複数のＣＲＭシステム１２０をサポートするように構成されるので、ゲートキーパー１２５はＣＲＭシステム１２０Ａとは別であるように示される。例えば、幾つかの実施形態において、ＣＲＭシステム１２０はそれぞれ、自らの一体のゲートキーパー１２５を含む。
【００１５】
通常の実施形態において、ゲートキーパー１２５は具体的には、安全な顧客データへのアクセスを許可し、及び／又は安全な顧客データを使用する許可を与えるように構成される。このアクセスは、ＣＲＭシステム１２０のメンバーにおいて顧客サービスエージェントに、及び／又は顧客データに関連付けられる消費者に許可される。例えば、顧客サービスエージェント担当者は、顧客及び／又は顧客のアクセスデバイス１１０Ａが認証された後にのみ、安全な顧客データへのアクセスを許可される場合がある。又は、顧客サービスエージェント担当者は、安全な顧客データにアクセスできるが、顧客及び／又は顧客のアクセスデバイス１１０Ａが認証された場合にのみ、この安全な顧客データを（顧客と）検討する許可を与えられる場合がある。ゲートキーパー１２５は、本明細書において説明されるアクションを行うように構成されるロジックを含む。このロジックは、ハードウェア、ファームウェア、及び／又は非一時的コンピューター可読媒体上に記憶されるソフトウェアにおいて具現される。幾つかの実施形態において、ゲートキーパー１２５は、デジタル識別データを承認するための特定のコンピューティング命令を実行するように構成されるマイクロプロセッサを含む。
【００１６】
ゲートキーパー１２５は、認証時に受信されたデジタル識別データをあらかじめ記憶された顧客認証データと自動的に比較することによって、顧客及び／又は顧客のアクセスデバイス１１０Ａの認証を助長するように構成される。あらかじめ記憶された顧客認証データは通常、アカウント確立又は更新の一部としてゲートキーパー１２５に与えられる。あらかじめ記憶された顧客認証データは、任意選択で、自動的に、又は手動で別個に認証された発信元から受信される。例えば、アクセスデバイス１１０Ａを使用する顧客が、通信セッションの開始時に手動で認証される場合があり、その後、同じ通信セッション中に、顧客認証データがアクセスデバイス１１０Ａから受信される場合がある。デジタル識別データが記憶された顧客認証データと一致する場合には、デジタル識別データが「承認された」と見なされる。デジタル識別データの承認の要求は、本明細書において「承認要求」と呼ばれる。例えば、承認要求は、デジタル識別データをゲートキーパー１２５に送信することを含む場合がある。承認要求は、デジタル識別データに関してアクセスデバイスに対して行われる要求である「認証要求」とは区別される。
【００１７】
種々の実施形態において、あらかじめ記憶された顧客認証データは、生体認証データ、パスワード、個人識別番号（ＰＩＮ）、指紋データ、顔データ、ローリングコード生成プログラム（rolling code generator）、画像データ、ネットワーキングデータ、モバイル機器識別子（例えば、国際移動体装置識別（ＩＭＥＩ：International Mobile EquipmentIdentity）番号又は移動体装置ＩＤ（ＭＥＩＤ：Mobile Equipment ID）、モバイル電話番号、ＭＡＣアドレス、インターネットプロトコルアドレス）、ロケーションデータ等、又はその任意の組み合わせを表す。ゲートキーパー１２５によって行われる、受信されたデジタル識別データとあらかじめ記憶された顧客認証データとの間の比較は、複数の因子を伴う場合がある。例えば、その認証は、ＭＡＣアドレス及び指紋の両方を使用するか、又は指紋及びロケーションの両方を使用する多因子認証（multi-factor authentication
）とすることができる。
【００１８】
幾つかの実施形態において、アクセスデバイス１１０のメンバーの認証におけるゲートキーパー１２５の役割は、デジタル識別データの承認と、この承認を認証ロジックに報告すること（本明細書において他の場所で論じられる）とに限定される。しかしながら、他の実施形態では、ゲートキーパー１２５は、安全な顧客データへのアクセスを、より直接的に制御するように構成される。
【００１９】
ゲートキーパー１２５は、安全な顧客データへのアクセスを制御するために多種多様の手法を使用することができる。幾つかの実施形態において、ゲートキーパー１２５は、承認要求の成功に応答して、ＣＲＭシステム１２０に特定のデータアクセス鍵を通信するように構成される。これらの実施形態において、データアクセス鍵を用いて、ＣＲＭシステム１２０上の顧客データにアクセスし、及び／又は顧客データを解読する。データアクセス鍵は、任意選択で、一時的であり、一度の通信セッション中のみアクセスを与えるように構成される。幾つかの実施形態において、ゲートキーパー１２５は、ＣＲＭシステム１２０Ａの一部と安全な顧客データとの間のブリッジとして機能するように構成される。これらの実施形態において、ゲートキーパー１２５は、ＣＲＭシステム１２０Ａから安全な顧客データへのアクセス要求を直接阻止するか、又は許可するように構成することができる。例えば、ゲートキーパー１２５は、達成された認証のレベルに応じて、（顧客データの）データベースへの異なるタイプのクエリを許可するように構成することができる。クエリをパース又はフィルタリングして、クエリが許可されるべきであるか否かを判断することができる。例えば、アクセスデバイス１１０Ａを使用する顧客のための顧客データへのクエリは、アクセスデバイス１１０Ａの認証に成功した後に許可される場合があり、一方、異なる顧客のための顧客データへの（任意選択で同じ発信元からの）クエリは拒否される場合がある。データベース及びデータベース管理ロジックは、任意選択で、ゲートキ
ーパー１２５上に、又はＣＲＭシステム１２０Ａ上に含まれる。
【００２０】
別の手法では、ゲートキーパー１２５は、ネットワークアクセス制御（ＮＡＣ）を用いて安全な顧客データへのアクセスを制御する。ＮＡＣは、保護されたネットワーク内のリソースへのアクセスを制御するために、ファイヤーウォール、スイッチ又はルーターのようなアクセスポイントの構成を使用する。通常、安全な顧客データを含むリソースへのアクセスは、アクセスデバイス１１０のメンバー又は顧客の認証後にのみ（ＣＲＭシステム１２０から）許可される。許可されたアクセスは一時的である場合があり、特定の顧客サービスエージェントインターフェースに対してのみ許可される場合があり、例えば、顧客サービスエージェントインターフェースをホストする特定のデバイスの粒度（granularity）に応じて許可又は拒否される場合がある。この（ＮＡＣ）手法は、保護されたネットワーク上の特定のリソースへのアクセスが制御される、ネットワークレベルにおけるセキュリティレベルを与える。この手法は、任意選択で、本明細書において開示される他のアクセス制御方法とともに使用される。例えば、ＮＡＣを用いて安全な顧客データを含む特定のリソースへのアクセスを制御することができ、クエリフィルタリングを用いて、データベース内の特定のデータレコードへのアクセスを制御することができる。
【００２１】
幾つかの実施形態において、ゲートキーパー１２５は、自動及び手動両方の認証を助長するように構成される。例えば、ゲートキーパー１２５は最初に、アクセスデバイス１１０Ａを自動的に認証することができ、その後、アクセスデバイス１１０Ａを用いて顧客を手動で認証するための質問を与えることができる。
【００２２】
アクセスデバイス１１０のメンバー及び／又は特定の顧客の認証後に、アクセス権が与えられる。これらのアクセス権は、例えば、特定の顧客に関連付けられる安全な顧客データにアクセスする権利を含むことができ、顧客はアクセスデバイス１１０のメンバーにあらかじめ関連付けられる。アクセス権は、安全な顧客データを顧客と検討する許可を含むことができる。幾つかの実施形態において、与えられたアクセス権は譲渡可能である。例えば、電話による通話又はチャットセッションが、或る顧客サービスエージェントから別の顧客サービスエージェントに転送される場合には、与えられた権利のうちの幾つか又は全てが譲渡される場合もある。幾つかの実施形態において、通話セッションごとに一度、顧客の手動認証が行われ、その認証のメモリが顧客サービスエージェント間で譲渡され、一方、通信セッションに関与する顧客サービスエージェントごとに、顧客によって使用されるアクセスデバイス１１０のメンバーの自動認証が繰り返される。手動認証及び自動認証はいずれも、任意選択で、階層化手法における通信セッションに適用される。手動認証及び自動認証は、並列に、又は順次に適用される場合がある。
【００２３】
顧客通信システム１００の幾つかの実施形態は更に、広告サーバー１３０を含む。広告サーバー１３０は、任意選択で、ＣＲＭシステム１２０の一部であり、広告を記憶するように構成されるメモリと、アクセスデバイス１１０のメンバーに配信するための広告を選択するように構成されるロジックとを含む。例えば、広告サーバー１３０は、広告のデータベースと、コンピューティング命令を用いてデータベースから広告を選択するように構成されるマイクロプロセッサとを含むことができる。広告の選択は、任意選択で、顧客サービス要求の発信元が認証された後にのみ入手可能である情報に基づく。例えば、アカウント残高、クレジットカード、デビットカード又は取引履歴チェック、サービス要求履歴等に基づいて、広告が選択される場合がある。
【００２４】
図２は、本発明の種々の実施形態による、アクセスデバイス１１０Ａの更なる詳細を示す。アクセスデバイス１１０Ａは、パーソナルコンピューター、スマートフォン、タブレットデバイス、ウェアラブルデバイス、キオスク等の多種多様のデバイスを含むことができる。幾つかの実施形態において、アクセスデバイス１１０Ａに含まれるものとして開示
される構成要素は、サードパーティの実施態様の場合にＳＤＫ（ソフトウェア開発キット）の一部として提供される。例えば、企業がＳＤＫを用いて、開示された構成要素を自らの独自のモバイルアプリケーションに追加することができる。アクセスデバイス１１０Ａは、ネットワーク１１５を介して外部デバイスと通信するために構成されるＩ／Ｏ２１０を含む。Ｉ／Ｏ２１０は、Ｂｌｕｅｔｏｏｔｈ（登録商標）、ＷｉＦｉ、ＧＳＭ（登録商標）、ＣＤＭＡ又は他のワイヤレス通信標準規格によって通信するように構成されるアンテナ及び回路を備えることができる。Ｉ／Ｏ２１０は、ＵＳＢ、ファイヤーワイヤ、イーサネット（登録商標）ポート等の有線通信ポートを備えることができる。Ｉ／Ｏ２１０の一例は、モバイル電話内のワイヤレスアンテナ及び通信回路を含む。
【００２５】
アクセスデバイス１１０Ａは、アクセスデバイス１１０Ａのユーザーにユーザーインターフェースを表示するように構成されるディスプレイ２１５を更に含む。ディスプレイ２１５は、タッチスクリーン、プロジェクター、コンピューター画面、電話画面等を含む。ディスプレイ２１５は、アクセスデバイス１１０Ａに内蔵することができるか、又は付属品としてアクセスデバイス１１０Ａに取り付けることができる。ディスプレイ２１５の例は、パーソナルコンピューターに取り付けられるコンピューターモニター、ラップトップ又はタブレットコンピューターの内蔵モニター、モバイル電話画面、及びスマート眼鏡のヘッドマウントディスプレイを含む。ディスプレイ２１５は、任意選択で、ワイヤレス接続によってアクセスデバイス１１０Ａの他の部分に接続される。
【００２６】
アクセスデバイス１１０Ａは、任意選択で、アクセス制御部２２０を含む。アクセス制御部２２０は、アクセスデバイス１１０Ａの機能へのアクセスを制限するように構成されるロジックを含む。アクセス制御部２２０は、例えば、モバイル電話上への個人識別番号（ＰＩＮ）の入力を要求するロジック、又はパーソナルコンピューター上のアカウントにログインするためにパスワードが与えられることを要求するロジックを含むことができる。そのようなロジックの実施態様及び構造は当該技術分野において既知である。存在するとき、アクセス制御部２２０は、ユーザーが自分のパスワード又はＰＩＮ等を与えることを要求することによって、認証プロセスにおける第１のステップを与える。このステップは、アクセスデバイス１１０Ａのユーザーがアクセスデバイス１１０Ａ上の機能に少なくともアクセスする権限を与えられることを保証する。
【００２７】
アクセスデバイス１１０Ａは任意選択で、１つ以上の固有デバイス識別子を含む。これらの識別子を用いて、アクセスデバイス１１０Ａを確実に識別することができる。幾つかの実施形態において、固有識別子はＩＭＥＩストレージ２２５内に記憶される。ＩＭＥＩストレージ２２５は、国際移動体装置識別番号若しくは移動体装置ＩＤ、又はモバイル電話番号を記憶するように構成されるメモリロケーションを含む。幾つかの実施形態において、固有識別子はアドレスストレージ２３０に記憶される。アドレスストレージ２３０は、ＭＡＣアドレス、インターネットプロトコルアドレス、ネットワークアドレス等を記憶するように構成されるメモリを含む。アドレスストレージ２３０は、任意選択で、特定の通信セッションにおいて使用するための一時セッション識別子を記憶するように更に構成される。このセッション識別子を用いて、特定の通信セッション中にアクセスデバイス１１０Ａを再認証することができる。例えば、セッション識別子は、任意選択で、電話による通話又はテキストセッションが第１のサービスエージェントから第２のサービスエージェントに転送されるのに応じて、セッションに自動的に再許可する際に使用するために構成される。
【００２８】
アクセスデバイス１１０Ａは、認証エージェント２３５を更に含む。認証エージェント２３５は、アクセスデバイス１１０Ａの手動認証及び／又は自動認証をサポートしてクライアント側プロセスを容易にするように構成される。例えば、幾つかの実施形態において、認証エージェント２３５は、ＣＲＭシステム１２０Ａから認証要求を受信し、この要求
に応答して、デジタル識別データを自動的に与えるように構成される。デジタル識別データは、ＣＲＭシステム１２０Ａ及び／又はゲートキーパー１２５に与えられる場合がある。デジタル識別データは、アドレスストレージ２３０及び／又はＩＭＥＩストレージ内に記憶される固有識別子のうちの１つを含むことができる。例えば、デジタル識別子は、ＭＡＣアドレス又はＩＭＥＩ番号を含むことができる。認証エージェント２３５は、任意選択で、ユーザーがパスワード、ＰＩＮ、指紋、画像等を与えることを要求するメッセージをディスプレイ２１５上に掲載するように構成される。
【００２９】
種々の実施形態において、デジタル識別データは、アクセスデバイス１１０Ａのユーザーによって与えられる情報を含む。例えば、与えられる情報は、指紋リーダー２４０を用いて得られたユーザーの指紋を含むことができる。指紋リーダー２４０は、ユーザーの指紋をスキャンし、指紋を表すデジタルデータをリアルタイムに生成するように構成される。指紋リーダー２４０は、任意選択で、アクセス制御部２２０の一部でもある。指紋リーダー２４０の例は、ログインするために指紋リーダーが使用されるモバイル電話及びパーソナルコンピューターにおいて見られる。別の例では、デジタル識別データは、カメラ２４５を用いてユーザーによって与えられる情報を含む。この情報は、ユーザーの写真又はユーザーのビデオを含むことができる。幾つかの実施形態において、この情報は、リアルタイムであることを保証される。例えば、ユーザーがアクセスデバイス１１０Ａからの要求又は命令にリアルタイムに応答することを要求することによって、ユーザーのビデオが、現在のビデオであることを保証することができる。ユーザーは、或る特定の身ぶりをするように、又は或る特定の言葉を言うように要求される場合がある。
【００３０】
種々の実施形態において、認証エージェント２３５によって与えられるデジタル識別データは、グローバルポジショニングシステム（ＧＰＳ）２５０を用いて生成される情報を含む。ＧＰＳ２５０は、ＧＰＳ受信機と、受信機において受信された信号のタイミングに基づいて場所を特定するように構成される回路とを含む。そのようなＧＰＳ構造は、例えば、モバイル電話に含まれることがよく知られている。
【００３１】
種々の実施形態において、認証エージェント２３５によって与えられるデジタル識別データは、デジタル鍵デバイス２５５から受信される情報を含む。デジタル鍵デバイス２５５は、デジタル鍵を記憶又は生成するように構成される物理的なデバイスである。デジタル鍵は、任意選択で、初期シード値に基づいて、時間の関数として生成される。デジタル鍵デバイス２５５は、任意選択で、アクセスデバイス１１０Ａに物理的に、かつ取外し可能に取り付けられるように構成されるドングルである。代替的には、デジタル鍵デバイス２５５は、任意選択で、安全なＢｌｕｅｔｏｏｔｈ接続を介して、アクセスデバイス１１０Ａにワイヤレスで接続するように構成されるＢｌｕｅｔｏｏｔｈデバイスを含む。例示的な事例において、デジタル鍵デバイス２５５は、時間依存鍵を生成するように構成される回路を含むＢｌｕｅｔｏｏｔｈ対応デバイスである。ＣＲＭシステム１２０Ａから認証要求が受信されるとき、認証エージェント２３５は、アクセスデバイス１１０ＡのＢｌｕｅｔｏｏｔｈポートに接続されるデジタル鍵デバイス２５５を自動的に探すように構成することができる。デジタル鍵デバイス２５５が見つけられた場合には、認証エージェント２３５によって、見つけられたデジタル鍵デバイス２５５から（任意選択で時間依存の）鍵が検索され、認証要求に応答して自動的に与えられる。適切なデジタル鍵デバイス２５５が見つからない場合には、デフォルト（汎用）鍵が与えられる場合がある。このデフォルト鍵は通常、デバイス認証を達成するのに十分ではない。
【００３２】
幾つかの実施形態において、アクセス制御部２２０内にゲートキーパー１２５の一部が含まれる。例えば、認証要求に応答して、認証エージェント２３５は、パスワード要求、ＰＩＮ要求又は指紋スキャン要求をアクセス制御部２２０のＡＰＩに送信するように構成することができる。アクセス制御部２２０はこの要求を受信し、要求をディスプレイ２１
５に表示し、ユーザーからパスワード、指紋スキャン又はＰＩＮを受信する。受信された指紋スキャン又はＰＩＮはその後、アクセスデバイス１１０Ａ上にあらかじめ記憶された指紋データ又はＰＩＮと比較することによって承認される。この承認のために使用されるロジックは、ゲートキーパー１２５のローカル部分と見なすことができ、任意選択で、アクセスデバイス１１０Ａにログインするために使用されるのと同じロジックである。その承認が成功する場合には、認証エージェント２３５は、この成功を、確認変数又は時間依存鍵のような承認トークンの形でＣＲＭシステム１２０Ａに通信する。これは、顧客通信システム１００上の他の場所ではなく、アクセスデバイス１１０Ａ上で行われる承認の一例である。
【００３３】
幾つかの実施形態において、認証エージェント２３５は、シード値に基づいて、ローリングコード及び／又は時間依存鍵を生成するように構成されるロジックを含む。そのようなロジックは、様々なアクセス制御システムにおいて利用可能であり、当業者に知られている。
【００３４】
ＣＲＭシステム１２０Ａから受信される認証要求は通常、ＣＲＭシステム１２０Ａ及び／又はゲートキーパー１２５の識別子を含む。この識別子は、要求に応答するためのアドレスとして使用される場合があるか、又は所望の認証タイプを判断するために使用される場合がある。例えば、ＣＲＭシステム１２０Ａから受信される認証要求は、ＣＲＭシステム１２０Ａのネットワークアドレス及び／又はゲートキーパー１２５のネットワークアドレスを含む場合がある。一実施形態において、認証エージェント２３５は、この情報を受信し、ＣＲＭシステム１２０Ａのネットワークアドレスに基づいて、認証が指紋データを要求すると判断する。認証エージェント２３５が、指紋リーダー２４０を用いて、要求された指紋データを取得し、その後、ゲートキーパー１２５のネットワークアドレスを用いて、要求された指紋データをゲートキーパー１２５に自動的に送信する。本明細書において別の場所で論じられるように、ゲートキーパー１２５は、指紋データを、特定のアカウントとの関連においてあらかじめ記憶されたデータと比較し、指紋データがあらかじめ記憶されたデータと一致する場合には、ＣＲＭシステム１２０Ａにおける顧客サービスエージェントが安全な顧客データにアクセスする権限を与えるように構成される。
【００３５】
アクセスデバイス１１０Ａは、任意選択で、トランザクションメモリ２６０を更に含む。トランザクションメモリ２６０は、アクセスデバイス１１０ＡとＣＲＭシステム１２０のメンバーとの間で行われるトランザクションの記録を記憶するように構成される物理的なデジタルメモリ及びデータ構造を含む。この記録は、顧客サポートセッションの詳細、サポートセッション中に得られた製品又はサービス、サービスエージェントによる推奨、製品又はサービスの販売等を含むことができる。
【００３６】
幾つかの実施形態において、トランザクションメモリ２６０に記憶されるトランザクションは、ディスプレイ２１５上に提示されるべき広告を選択するために、広告サーバー１３０によって使用される。この選択は、時刻、アクセスデバイス１１０Ａの場所、及び／又はユーザーのアカウント情報（年齢、性別、郵便番号、収入等）に基づくこともできる。広告の選択は、任意選択で、アクセスデバイス１１０Ａの外部にあるデバイス上で実行される。例えば、トランザクション及び現在の場所が、ネットワーク１１５を介して広告サーバー１３０に送信される場合がある。この情報に基づいて選択された広告が、その後、ディスプレイ２１５上に表示するためにアクセスデバイス１１０Ａに与えられる。認証エージェント２３５は、任意選択で、サービス要求が行われるときに広告を表示するように構成される。また、広告は、サービス要求が行われる対象（例えば、ＣＲＭシステム１２０Ａ又はＣＲＭシステム１２０Ｂ）に基づいて選択することもできる。
【００３７】
任意選択のコールバックステップ４１３において、アクセスデバイス１１０Ａにおいて
、ＣＲＭシステム１２０Ａから「コールバック」が受信される。例えば、顧客サービスエージェントがＣＲＭシステム１２０Ａにおいて直ちに応対可能であるとき、コールバックステップ４１３は必要とされない。コールバックは、予定された時刻において、又は次の顧客サービスエージェントが応対可能であるときに行うことができる。
【００３８】
アクセスデバイス１１０Ａは、任意選択で、スケジューリングロジック２６５を更に含む。スケジューリングロジック２６５は、ＣＲＭシステム１２０Ａからアクセスデバイス１１０Ａへのコールバックのスケジューリングを助長するように構成される。そのようなコールバックは、顧客サービスエージェントが直ちに応対できないときに望ましい場合がある。幾つかの実施形態において、スケジューリングロジック２６５は、顧客サービスエージェントが応対可能であると予想されるまでの推定待ち時間を示し、後の時点における予約をスケジューリングする選択肢を顧客に提供するように構成される。
【００３９】
スケジューリングロジック２６５は、ＣＲＭシステム１２０Ａと通信し、顧客サービスエージェントの予想応対可能時間に関する情報を受信するように構成される。これらの時間は絶対時刻（例えば、３：３５ＰＭ  ＥＳＴ）又は相対時間（例えば、２０分間）として表される場合がある。幾つかの代替の時間が、ディスプレイ２１５上のリストとして、又は可聴音としてユーザーに提供及び提示される場合がある。幾つかの実施形態において、スケジューリングロジック２６５は、アップルカレンダー、マイクロソフトアウトルック又はグーグルカレンダーデータのようなユーザーのカレンダーデータを自動的に受信するように構成される。スケジューリングロジック２６５は、その後、カレンダーデータを用いて、ユーザーが時間をとれる（すなわち、何か他のことが予定されていない）コールバック時刻を識別する。代替の実施形態では、カレンダーデータは、ＣＲＭシステム１２０Ａに通信され、そこで比較が行われる。スケジューリングロジック２６５は、任意選択で、コールバックを、予定されたイベントとしてユーザーのカレンダーに追加するように構成される。
【００４０】
コールバックに対する顧客サービスエージェントの応対可能性は、任意選択で、顧客サービス要求の内容によって決まる。例えば、技術援助要求は、そのような要求をサポートする資格がある顧客サービスエージェントに対してのみスケジューリングされる場合がある。コールバックに対する顧客サービスエージェントの応対可能性は、（エージェントの）予定された休憩時間、他の予定されたコールバック、その時点で応対可能であると予想されるエージェントの数、そのユーザーに以前に関わったエージェントの応対可能性、言語等によって決まる場合もある。例えば、ユーザーが、以前に自分を助けてくれたエージェントからのコールバックを要求する場合があるか、又はスペイン語を話すエージェントを要求する場合がある。
【００４１】
アクセスデバイス１１０Ａは、プロセッサ２９０を更に含む。プロセッサ２９０は、アクセスデバイス１１０Ａ内のコンピューター命令を実行するように構成されるデジタルマイクロプロセッサである。例えば、プロセッサ２９０は通常、認証エージェント２３５及び／又はスケジューリングロジック２６５の少なくとも一部を実行するように構成される。
【００４２】
認証エージェント２３５は、ハードウェア、ファームウェア、及び／又は非一時的コンピューター可読媒体に記憶されるソフトウェアを含む。例えば、幾つかの実施形態において、認証エージェント２３５は、アクセスデバイス１１０Ａにダウンロードされ、インストールされたソフトウェアアプリケーションを含む。より具体的には、認証エージェント２３５は、スマートフォン又は他のモバイルデバイス上にダウンロードされたアプリケーションを含むことができる。認証エージェント２３５は、任意選択で、デジタル識別データがＣＲＭシステム１２０Ａ及び／又はゲートキーパー１２５に暗号化された形で通信さ
れるように、デジタル識別データを暗号化するように構成される。
【００４３】
図３は、本発明の種々の実施形態による、顧客関係管理（ＣＲＭ）システム１２０Ａの更なる詳細を示す。ＣＲＭシステム１２０Ａは、コールセンターの管理のために構成される企業コンピューターシステムの一部とすることができる。この企業システムは、任意選択で、クラウドベース（例えば、サービス型ソフトウェア−ＳａａＳ（Software as a Service））であり、コールルーティング、コールキューイング、サービスエージェントインターフェース及びクライアントデータへのアクセスのような機構を含むことができる。ＣＲＭシステム１２０Ａは、１つ以上のコンピューティングデバイスを備え、任意選択で、複数の場所に分散して配置される。本明細書において別の場所で論じられるように、ゲートキーパー１２５は、任意選択で、ＣＲＭシステム１２０Ａ内に配置され、ゲートキーパー１２５のこの事例は、ＣＲＭシステム１２０Ｂを更にサポートするように構成される場合がある。代替のアーキテクチャでは、各ＣＲＭシステム１２０が、独自のゲートキーパー１２５の事例を含む場合があるか、又はゲートキーパー１２５（いずれのＣＲＭシステム１２０にも属さない）が、複数のＣＲＭシステム１２０をサポートするように構成される場合がある。
【００４４】
ＣＲＭシステム１２０Ａは、クライアントデータを記憶するように構成されるクライアントデータストレージ３１０を更に含む。このクライアントデータは、安全な顧客データ及び／又は安全性の低い顧客データを含むことができる。安全な顧客データは通常、特定のアカウントに関連して記憶され、アカウント番号、残高、トランザクション認証鍵（transaction authorization key）、顧客履歴、注文、医療情報、社会保障番号等の情報を含むことができる。クライアントデータストレージ３１０は、ハードドライブ又は光ドライブのような物理的なコンピューター可読記憶媒体を含む。また、クライアントデータストレージ３１０は、リレーショナルデータベース及びデータベース管理システムを含む場合もある。データベース管理システムは、任意選択で、何らかの安全な顧客データを検索できるようにする前に、認証を確認する鍵を要求するように構成される。幾つかの実施形態において、クライアントデータストレージ３１０は、ＣＲＭシステム１２０Ａの１つ以上の他の部分に対して遠隔しており、及び／又はネットワーク１１５若しくはプライベート通信ネットワークを介してアクセス可能である。
【００４５】
ＣＲＭシステム１２０Ａは、顧客サービス要求の発信元を認証する、例えば、アクセスデバイス１１０Ａを認証するように構成される認証ロジック３２０を更に含む。認証ロジック３２０は、例えば、アクセスデバイス１１０Ａから顧客サービス要求を受信し、その顧客サービス要求が安全な顧客データへのアクセスを要求する場合があると判断し、デジタル識別データのための認証要求をアクセスデバイス１１０Ａに送信し、要求されたデジタル識別データを受信し、デジタル識別データをゲートキーパー１２５に転送するロジックを含むことによって、このタスクのために構成される。本明細書において別の場所で論じられるように、ゲートキーパー１２５は、受信されたデジタル識別データと、あらかじめ記憶された顧客認証データとを比較することによって、デジタル識別データを承認し、この比較に基づいて、アクセスデバイス１１０Ａの認証を是認又は否認するように構成される。認証は通常、特定のアカウントと、そのアカウント内の安全な顧客データとに関連付けられる。幾つかの実施形態において、アクセスデバイス１１０Ａは、特定のアカウントに関して権限を付与されたアクセスデバイスとしてあらかじめ登録されていなければならない。認証が是認される場合には、その是認が認証ロジック３２０に通信される。
【００４６】
その認証は、フラグを設定すること、アクセス鍵を与えること、クライアントデータストレージ３１０へのクエリアクセス与えること、成功を示す変数を返すこと等によって、認証ロジック３２０に通信することができる。幾つかの実施形態において、特定の通信セッションのためにアクセスデバイス１１０Ａが認証されると、セッション識別子（ＩＤ）
を割り当てられる。セッションＩＤは、アクセスデバイス１１０ＡとＣＲＭシステム１２０Ａ上の第１のサービスエージェントとの間の接続が、ＣＲＭシステム１２０Ａ上の第２の（又は更なる）サービスエージェントに転送される場合に、アクセスデバイス１１０Ａを自動的に再認証するために使用することができる値を含む。セッションＩＤは、任意選択で、この目的のために認証エージェント２３５に与えられる。通常、通信セッションが終了すると、アクセスデバイス１１０のいずれかを認証するためにそのセッションＩＤが再利用できないように、セッションＩＤの特権が解消される。
【００４７】
幾つかの実施形態において、認証ロジック３２０は、少なくとも２つの方法を用いて、アクセスデバイス１１０のうちの１つを認証するように構成される。これらの方法のうちの第１の方法は、任意選択で、サービスエージェントを関与させる「手動」方法である。例えば、手動方法において、認証ロジック３２０は、サービスエージェントによって尋ねられ、アクセスデバイス１１０Ａのユーザーによって回答されるべき一連の質問をサービスエージェントに与えることができる。ユーザーによって与えられた回答が、その後、ユーザーによってあらかじめ与えられた質問に対する回答と、又はユーザーが知っているはずであるデータと比較される。この比較は、サービスエージェントによって、又は認証ロジック３２０によって行うことができる。これらの方法のうちの第２の方法は、本明細書において別の場所で論じられるように、アクセスデバイス１１０のうちの１つから受信されたデジタル識別データをゲートキーパー１２５に与え、ゲートキーパー１２５からデジタル識別データの承認を自動的に受信することによる。アクセスデバイス１１０のうちの１つを認証する２つの方法は、並列に、又は順次に適用することができる。
【００４８】
ＣＲＭシステム１２０Ａは、１つ以上のエージェントインターフェース３３０を更に含む。エージェントインターフェース３３０は、顧客サービスエージェントにデータを提示するためのフィールドと、顧客サービスエージェントがコマンドを入力するためのフィールドとを有する、グラフィカルユーザーインターフェースを生成し、運用するように構成されるロジックを含む。グラフィカルユーザーインターフェースは、任意選択で、ＨＴＭＬ又は類似の言語に基づく。幾つかの実施形態において、エージェントインターフェース３３０は、アクセスデバイス１１０Ａのユーザーに通信するために権限を付与されない安全な顧客データを視覚的にマーキングするように構成される。アクセスデバイス１１０Ａが特定の通信セッションのために認証されると、安全な顧客データ上の視覚的マーキングを除去し、これにより、このデータをアクセスデバイス１１０Ａのユーザーと検討することができることを顧客サービスエージェントに示すことができる。本明細書において提示される例は、顧客サービスエージェントに、安全な顧客データへのアクセスを許可するか、許可しないかを論じることに留意されたい。代替の実施形態において、顧客サービスエージェントはデフォルトでこのデータにアクセスできる場合があり、何が許可されるか、許可されないかは、顧客サービスエージェントがこのデータをアクセスデバイス１１０のメンバーに通信する場合の許可である。与えられる例は、アクセスの付与及び許可の付与の両方に当てはまることを意図している。
【００４９】
ＣＲＭシステム１２０Ａは、任意選択で、アクセスロジック３４０を更に含む。アクセスロジック３４０は、アクセスデバイス１１０のメンバーが本明細書において論じられるように認証された後に、そのメンバーに安全な顧客データを与えるように構成される。例えば、幾つかの実施形態において、アクセスロジック３４０は、エージェントインターフェース３３０及びアクセスデバイス１１０Ａの両方において安全な顧客データの表示を共有するように構成することができる。画面又はデータ共有技術はよく知られているが、アクセスロジック３４０は、アクセスデバイス１１０Ａが特定の通信セッションのために認証されたか否かに応答することによって区別される。例えば、アクセスロジック３４０は、アクセスデバイス１１０Ａが認証されるまで、安全な顧客データへの、又はこのデータの表示への（アクセスデバイス１１０Ａからの）アクセスを阻止するように構成されるコ
ンピューティング命令を含むことができる。
【００５０】
ＣＲＭシステム１２０Ａは、任意選択で、転送ロジック３５０を更に含む。転送ロジック３５０は、通信セッションを第１の顧客サービスエージェントから第２の顧客サービスエージェントに転送するように構成される。例えば、アクセスデバイス１１０Ａのユーザーが第１の顧客サービスエージェントと通信している場合があり、第１の顧客サービスエージェントがユーザーを第２の顧客サービスエージェントに転送する（又は３者通信セッションのために第２の顧客サービスエージェントを追加する）ことを望む。第２の顧客サービスエージェントがアクセスデバイス１１０Ａと通信すると、アクセスデバイス１１０Ａを、認証ロジック３２０及びゲートキーパー１２５を用いて自動的に再認証することができる。この再認証は、任意選択で、セッションＩＤに基づく。幾つかの実施形態において、転送ロジック３５０は、セッションＩＤを第２の顧客サービスエージェントに通信するように構成され、セッションＩＤは、アクセスデバイス１１０Ａ上に記憶されるセッションＩＤのコピーと比較されて、認証のために使用することができる。
【００５１】
ＣＲＭシステム１２０Ａは、任意選択で、パイプラインロジック３６０を更に含む。パイプラインロジック３６０は、顧客サービス要求のキュー（パイプ）及び顧客サービスエージェントの応対可能性を管理するように構成される。顧客サービス要求のキューは包括的である場合があるか、又は事前に仕分けられる場合がある。事前に仕分けられたキューは、事前に仕分けられたキューの基準を満たす顧客サービス要求を含む。例えば、事前に仕分けられたキューは、特定の内容に関連する要求、スペイン語を話す顧客サービスエージェントを必要とすること、又は特定の顧客サービスエージェントに割り当てられる要求を含むことができる。顧客サービス要求は、複数の基準に基づいて、事前に仕分けられた特定のキューに入れることができる。１つ以上の顧客サービスエージェントが、特定のキューに割り当てられる場合がある。
【００５２】
パイプラインロジック３６０は、任意選択で、顧客サービスエージェント応対可能性の推定値を計算するように構成される。これらの推定値は、任意のエージェント又は特定のエージェントが次に応対可能になる時点、キュー内で待つ推定時間、特定の時点で応対可能であるエージェントの人数、特定のキューに割り当てられた任意のエージェントが応対可能になる時点、通話を予定することができる時間等を含むことができる。例えば、パイプラインロジック３６０は、顧客サービスエージェントが顧客サービス要求に応答して応対可能であると予想されるまでの推定待ち時間をスケジューリングロジック２６５に与え、及び／又は顧客サービスエージェントのための予想される応対可能時間に関する情報を与えるように構成することができる。この情報を用いて、コールバックをスケジューリングすることができる。そのスケジューリングは、アクセスデバイス１１０Ａ上のスケジューリングロジック２６５によって、又はＣＲＭシステム１２０Ａ上のパイプラインロジック３６０によって実行することができる。パイプラインロジック３６０の更なる詳細は、本明細書において別の場所で論じられる。
【００５３】
ＣＲＭシステム１２０Ａは通常、認証ロジック３２０、転送ロジック３５０及び／又はパイプラインロジック３６０を実行するコンピューティング命令を追加することによって構成されるマイクロプロセッサ（図示せず）を更に含む。
【００５４】
図４は、本発明の種々の実施形態による、顧客サービス要求を管理する方法を示す。これらの方法において、アクセスデバイス、例えば、アクセスデバイス１１０Ａの自動認証が、アクセスデバイスからデジタル識別データを受信し、ゲートキーパー１２５を用いてデジタル識別データを承認することによって達成される。アクセスデバイスの認証後に、安全な顧客データのアクセス及び／又は使用が可能にされる。図４に示される方法は、任意選択で、ＣＲＭシステム１２０Ａ及びゲートキーパー１２５を用いて実行される。
【００５５】
要求受信ステップ４１０において、ＣＲＭシステム１２０Ａにおいて、アクセスデバイス１１０Ａから通信要求が受信される。この要求は、電話による通話、インターネットチャットセッション（音声、ビデオ及び／又はテキスト）等の形をとることができる。その要求は、任意選択で、アクセスデバイス１１０Ａ上のアプリケーションによって生成される。このアプリケーション（例えば、認証エージェント２３５）は、音声及びデジタルデータの両方を、例えば、ＣＲＭシステム１２０Ａに通信するように構成することができる。
【００５６】
任意選択のコールバックステップ４１３において、アクセスデバイス１１０Ａにおいて、ＣＲＭシステム１２０Ａから「コールバック」が受信される。例えば、顧客サービスエージェントがＣＲＭシステム１２０Ａにおいて直ちに応対可能であるとき、コールバックステップ４１３は必要とされない。コールバックは、予定された時刻において、又は次の顧客サービスエージェントが応対可能であるときに行うことができる。コールバックが要求されても、されなくても、アクセスデバイス１１０ＡとＣＲＭシステム１２０Ａとの間に関連するデータチャネル及び音声チャネルが開通する。これらのチャネルは、それぞれの終点が固定され、これらの終点の変化が、ＣＲＭシステム１２０Ａの制御下で（例えば、認証ロジック３２０又は転送ロジック３５０によって）のみ変更することができるという点で関連付けられる。アクセスデバイス１１０Ａのユーザーと通信している顧客サービスエージェントは、データチャネルを介しての認証を用いて、音声チャネルを介しての通信を許可できるように、音声チャネル及びデータチャネルの両方が同じアクセスデバイス１１０Ａから生じることを保証される。コールバックステップ４１３は、任意選択で、スケジューリングロジック２６５及びパイプラインロジック３６０によって助長される。
【００５７】
任意選択のセッションＩＤステップ４１５において、通信要求、例えば、通信セッションにセッションＩＤが割り当てられる。セッションＩＤは通常、通信セッションが終了するときに満了する一時値を含む。セッションＩＤステップ４１５において、割り当てられたセッションＩＤは、任意選択で、アクセスデバイス１１０Ａに通信される。
【００５８】
任意選択の手動認証ステップ４２０において、アクセスデバイス１１０Ａ及び／又はアクセスデバイス１１０Ａのユーザーが顧客サービスエージェントによって認証される。この認証は、顧客サービスエージェントがユーザーに１つ以上の質問をすることによって成し遂げられる場合がある。手動認証ステップ４２０は、任意選択で、アクセスデバイス１１０Ａの自動認証と並行して、又はそれに先行して実行される。例えば、手動認証ステップ４２０は、以下に論じられるステップ４２５〜４４５と並行して実行される場合がある。
【００５９】
任意選択のデータ提供ステップ４２５において、アクセスデバイス１１０Ａ及び／又は顧客サービスエージェントに、安全性がより低いか、又は安全でない顧客データが提供される。このデータは、アクセスデバイス１１０Ａ又はそのユーザーの認証を必要としない情報を含む。例えば、データ提供ステップ４２５は、顧客サービスエージェントに顧客名、アカウント番号及びアドレスを提供することを含むことができる。データ提供ステップ４２５は、顧客サービスエージェントに質問を与えることを含むこともでき、その質問は顧客の手動認証のために構成される。
【００６０】
任意選択の要求送信ステップ４３０において、デジタル識別データ要求が、アクセスデバイス１１０Ａに自動的に送信される。要求受信ステップ４１０内の要求とともにデジタル識別データが受信されるときには、要求送信ステップ４３０は任意選択である。アクセスデバイス１１０Ａにおいて、この要求は通常、認証ロジック３２０によって受信される。
【００６１】
ＤＩデータ受信ステップ４３５において、要求されたデジタル識別データが、アクセスデバイス１１０Ａから、ＣＲＭシステム１２０Ａ又はゲートキーパー１２５において受信される。本明細書において別の場所で論じられるように、要求されたデジタル識別データは、生体認証データ、固有デバイス識別子、パスワード／ＰＩＮ等を含むことができる。デジタル識別データは、任意選択で、多因子認証を達成するために、これらのデータタイプの組み合わせを含む。デジタル識別データは、任意選択で、暗号化形式で受信される。
【００６２】
ＤＩデータ提供ステップ４４０において、ＤＩデータ受信ステップ４３５において受信されたデジタル識別データが、承認のためにゲートキーパー１２５に与えられる。ゲートキーパー１２５がＣＲＭシステム１２０Ａ内にある実施形態において、ＤＩデータ提供ステップ４４０は単に、サブルーチン間のデータの転送を含む場合がある。
【００６３】
承認受信ステップ４４５において、デジタル識別データの承認がゲートキーパー１２５から受信される。この承認は、アクセスデバイス１１０Ａの認証を完了する。アクセス制御部２２０を用いてアクセスデバイス１１０Ａにおいて承認が行われる場合には、ＤＩデータ受信ステップ４３５及びＤＩデータ提供ステップ４４０は任意選択であることに留意されたい。承認受信ステップ４４５において受信される承認は、認証エージェント２３５から受信され、アクセス制御部２２０によって実行される承認に基づくことができる。
【００６４】
安全データ提供ステップ４５０において、アクセスデバイス１１０Ａ及び／又はエージェントインターフェース３３０に安全な顧客データが与えられる。安全データ提供ステップ４５０は、アクセスデバイス１１０Ａの手動又は自動認証後に行うことができることに留意されたい。幾つかの実施形態は、特定の安全な顧客データへのアクセスを許可する前に、手動認証及び自動認証の両方を要求する。幾つかの実施形態において、アクセスデバイス１１０Ａの自動認証は、エージェントが通信に含まれる前に達成される。これらの実施形態では、エージェントは、認証プロセスにおいて時間を費やす必要がないか、又は単に認証要求コマンドを起動する場合がある。
【００６５】
図５は、本発明の種々の実施形態による、パイプラインロジック３６０の更なる詳細を示す。パイプラインロジック３６０は、１つには、サービス要求が顧客サービスエージェントによって受信される前にアクセスデバイス１１０を認証する能力によって区別される。この認証は、顧客サービス要求を管理するために使用することができる付加情報を与える。例えば、その認証を用いて、ユーザーアカウント情報、コールバック番号、ユーザーのサービス履歴、ユーザーのカレンダー等を自動的に検索することができる。パイプラインロジック３６０の動作及び機能は図６を参照しながら説明される。
【００６６】
図６は、本発明の種々の実施形態による、要求パイプライン６１０を示す。要求パイプライン６１０は、顧客サービス要求６１５（個々に６１５Ａ、６１５Ｂ等で示される）のリストの仮想表現である。各要求パイプライン６１０は、１つ以上の顧客サービスエージェント６２０（個々に６２０Ａ、６２０Ｂ等で示される）に割り当てられる。顧客サービス要求６１５は、要求パイプライン６１０のトリアージゾーン６２５において受信され、そこから、顧客サービス要求は、要求パイプライン６１０の特定のメンバーに仕分けされる。要求パイプラインは、個々に６１０Ａ、６１０Ｂ等で示される。要求パイプライン６１０及びトリアージゾーン６２５は顧客サービス要求６１５の処理の仮想表現である。実際には、顧客サービス要求６１５は、各要求を特徴付けるデータ構造及びデータを含む。図６に示される仮想構造内の顧客サービス要求６１５の個々のメンバーの位置は、順序を付けられた１組の点、順序を示すタグ、メモリロケーション等によって表すことができる。例えば、図６における顧客サービス要求６１５Ｆの場所は、それが要求パイプライン６１０Ｃに割り当てられたことを示すデータタグと、それがこのキュー内の第３の位置にあ
ることを示すポインタとを表すことができる。顧客サービスエージェント６２０は、サービスエージェント担当者及び／又はその個々のコンピューティングデバイスを表す。通常の実施形態は、図６に示されるより多くの数の顧客サービス要求６１５、要求パイプライン６１０及び顧客サービスエージェント６２０を含む。
【００６７】
図５及び図６を参照すると、パイプラインロジック３６０がエージェント割当てロジック５１０を含む。エージェント割当てロジック５１０は、要求パイプライン６１０のメンバーに顧客サービスエージェント６２０を割り当てるために構成される。顧客サービス要求６１５に応じるために、各要求パイプライン６１０は、割り当てられた少なくとも１つの顧客サービスエージェント６２０を有する。図示されるように、要求パイプライン６１０のメンバーは、割り当てられた１つ、又は２つ以上の顧客サービスエージェント６２０を有する場合がある。顧客サービスエージェント６２０の特定のメンバーは、２つ以上の要求パイプライン６１０を割り当てられる場合がある。
【００６８】
幾つかの実施形態において、エージェント割当てロジック５１０は、顧客サービスエージェント６２０のプロファイル及び要求パイプライン６１０のリアルタイム状況に応じて、顧客サービスエージェント６２０を要求パイプライン６１０に動的に割り当てるように構成される。この割当ては、要求パイプライン６１０の作成（配分）及び破壊（配分取消）を含むことができる。要求パイプライン６１０Ａ又は６１０Ｂに割り当てるために、顧客サービスエージェント６２０Ｂを選択するために使用することができる基準の例は、ロードバランシング、顧客サービスエージェント６２０Ｂの就業日スケジュール（例えば、休憩、始業／終業時間）、顧客サービスエージェント６２０Ｂの技能及び／又は専門知識、要求パイプライン６１０Ａ又は６１０Ｂの分類、顧客サービスエージェント６２０Ｂに割り当てられた予定された顧客サービス要求６１５（予定されたコールバック）の数、応対可能な他の顧客サービスエージェント６２０等を含む。例えば、顧客サービスエージェント６２０Ｂは、パスワード要求を含むように分類されるので、オンライン顧客のためのパスワードをリセットする権限を付与される場合があり、要求パイプライン６１０Ａに割り当てられる場合がある。顧客サービスエージェント６２０Ｂは、要求パイプライン６１０に自動的に、又は手動で割り当てられる場合がある。
【００６９】
パイプラインロジック３６０は通常、仕分けロジック５２０を更に含む。仕分けロジック５２０は、顧客サービス要求６１５を受信し、これらの要求を要求パイプライン６１０の特定のメンバーに割り当てるように構成される。通常、各顧客サービス要求６１５は、要求パイプライン６１０のうちの１つに１対１に割り当てられる。顧客サービス要求６１５の割当ては、各要求パイプライン６１０の分類に少なくとも部分的に基づく。要求パイプライン６１０は要求タイプによって分類される。例えば、要求パイプライン６１０の異なるメンバーが、アカウント残高、技術サービス、パスワード変更、新規アカウント、販売等のための顧客サービス要求６１５を含むものとして分類される場合がある。顧客サービス要求６１５の目的は、要求の発信元、メニューにおいて行われる顧客選択、ウェブページ上に入力されるデータ、説明文のパース、その要求の宛先アドレス（例えば、ＵＲＬ又は電話番号）等によって判断される場合がある。要求パイプライン６１０のメンバーは複数の分類を有する場合がある。仕分けロジック５２０は通常、要求が図６に示されるトリアージゾーン６２５内にある間に適用される。
【００７０】
顧客サービス要求６１５を要求パイプライン６１０のうちの１つに割り当てることは、任意選択で、要求の発信元が認証されたか否かに基づく。例えば、要求パイプライン６１０Ｂは、認証された発信元からの顧客サービス要求６１５を受信するように分類される場合があり、要求パイプライン６１０Ｃは、認証されていない発信元からの顧客サービス要求６１５を受信するように分類される場合がある。顧客サービス要求６１５Ａの認証ステータスは経時的に変化する可能性がある。これが生じる場合には、要求は要求パイプライ
ン６１０のうちの１つから、別の要求パイプライン６１０に転送される場合がある。
【００７１】
顧客サービス要求６１５Ｄの発信元が認証される場合には、ユーザーのアカウントに関する情報を用いて、その要求を要求パイプライン６１０のうちの特定のメンバーに割り当てることができる。アカウントに関するこの情報は、認証された発信元／ユーザーの場合にのみ入手可能とすることができる。例えば、認証後に、ユーザーの金融情報又はサービス履歴が入手可能な場合がある。ＶＩＰ顧客は、特殊な要求パイプライン６１０にアクセスできる場合がある。この情報は、顧客サービス要求６１５Ｄを要求パイプライン６１０の特定のメンバーに割り当てるために、仕分けロジック５２０によって使用することができる。例えば、その要求は、その要求者が以前に対応した顧客サービスエージェント６２０に関連付けられるパイプラインに割り当てられる場合があり、顧客サービスエージェント６２０は、一定の範囲内のアカウント残高等を有する顧客にサービスを提供する資格がある。
【００７２】
パイプラインロジック３６０は通常、順序付けロジック５３０を更に含む。順序付けロジック５３０は、要求パイプライン６１０内の顧客サービス要求６１５の順序を管理するように構成される。例えば、順序付けロジック５３０は、顧客サービス要求６１５を先入れ先出し（ＦＩＦＯ）の方式で渡すように構成される。種々の実施形態において見られる要求のＦＩＦＯ管理に関する例外は、１）予定されたコールバックを要求パイプライン６１０の中に挿入すること、２）自動的に認証された発信元からの顧客サービス要求６１５を優先すること、及び／又は、３）転送された顧客サービス要求６１５を優先することである。順序付けロジック５３０は、任意選択で、要求パイプライン６１０内の顧客サービス要求６１５の順序を動的に変更するように構成される。順序を判断するために使用することができる要因は、転送された通話、繰り返しの通話、発信元の認証、優先（ＶＩＰ）顧客ステータス、アカウント値、アカウント残高等を含む。
【００７３】
予定されたコールバックは、特定の時刻又は時間範囲に対してスケジューリングされる。コールバックは、直ちにサービスを提供されず、特定の時刻において、又は或る時間範囲内で行われるように顧客によって要求された顧客サービス要求６１５に基づく。本明細書において別の場所で言及されるように、スケジューリングロジック２６５を用いて、コールバックをスケジューリングすることができる。図６において、予定された顧客サービス要求６１５は、黒塗りの丸によって示され、一方、予定されていない顧客サービス要求６１５は白抜きの丸によって示される。幾つかの実施形態において、顧客サービス要求６１５の発信元は、コールバックをスケジューリングできる前に認証されなければならない。
【００７４】
顧客サービス要求６１５Ｅの発信元の認証は、顧客サービス要求６１５Ｅが最初に受信されたときに、顧客サービス要求６１５Ｅがトリアージゾーン６２５内にあるときに、及び／又は顧客サービス要求６１５Ｅが要求パイプライン６１０のうちの１つにあるときに行うことができる。幾つかの実施形態において、顧客サービス要求６１５Ｅは、その発信元の認証の成功に基づいて、要求パイプライン６１０のうちの１つから別の要求パイプライン６１０に移動させることができる。
【００７５】
パイプラインロジック３６０は通常、推定ロジック５４０を更に含む。推定ロジック５４０は、顧客サービス要求６１５の解決に要する時間を推定するように構成される。例えば、推定ロジック５４０は、顧客サービス要求６１５Ａの解決に５分を要すると推定する場合がある。或る要求にサービスを提供するのにどの程度の時間を要するかを推定することは、要求パイプライン６１０のうちの１つに要求を入れるために使用されるのと同じ基準によることができる。さらに、その推定は、顧客サービス要求６１５の発信元が認証されたか否かに基づくことができる。通常、認証された発信元からの要求は、認証されてい
ない発信元からの要求より短い時間を要すると予想される。さらに、その推定は、顧客サービスエージェント６２０の特定のメンバーの要求解決時間履歴に基づくことができる。推定ロジック５４０によって行われる推定を用いて、特定の顧客サービスエージェント６２０が予定された顧客サービス要求６１５に応答するために応対可能である時点を予測する。
【００７６】
パイプラインロジック３６０は通常、スケジューリングロジック２６５を更に含む。本明細書において別の場所で言及されるように、スケジューリングロジック２６５は、コールバックをスケジューリングするために構成される。このスケジューリングは、自動にすることができ、１つ以上の顧客サービスエージェント６２０Ａの予測される応対可能性に基づくことができる。スケジューリングロジック２６５の動作が図７に示される。図７は、顧客スケジュール７１０及びエージェントスケジュール７２０を示す。ハッシュマークは、応対不可能な時間を示すことを意図している。顧客スケジュール７１０は、例えば、顧客サービス要求６１５を作成する顧客のアウトルック又はグーグルカレンダーから導出することができる。顧客スケジュール７１０は、要求の発信元から検索されたデータから導出することができる。エージェントスケジュール７２０は、１つ以上の顧客サービスエージェント６２０のスケジュールから導出される。応対不可能な時間は、適任の顧客サービスエージェント６２０が存在しない時間である。応対不可能な時間は、推定ロジック５４０を用いて行われた推定、作業スケジュール、予定されたコールバック等に基づくことができる。スケジューリングロジック２６５は、顧客スケジュール７１０及びエージェントスケジュール７２０の両方において利用可能な１つ以上の共通応対可能時間７３０を自動的に識別するように構成される。本明細書において別の場所で論じられるように、共通応対可能時間７３０は、任意選択で、要求者に提示される。
【００７７】
図８は、本発明の種々の実施形態による、顧客サービス要求６１５を管理する方法を示す。これらの方法はＣＲＭシステム１２０を用いて実行することができる。図示されるステップは、様々な代替の順序において実行することができる。
【００７８】
パイプライン作成ステップ８１０において、１つ以上の要求パイプライン６１０が作成される。作成された要求パイプライン６１０はそれぞれ、特定の顧客サービス要求６１５がその要求パイプライン６１０内に配置されるべきであるか否かを判断するために使用されることになる特定の特徴に関連付けられる。本明細書において別の場所で論じられるように、これらの特徴は、要求の発信元が認証されたか否か、要求を行う顧客の身元、顧客によって提供されるデータ等を含むことができる。
【００７９】
幾つかの実施形態において、パイプライン作成ステップ８１０は、任意の現時点で利用可能なパイプラインの特徴に一致しない顧客サービス要求６１５が受信された場合に自動的に実行される。作成された要求パイプライン６１０は、ＣＲＭシステム１２０において、配分されたポインタ及び／又は配分されたメモリロケーションによって表すことができる。任意の必要とされる要求パイプライン６１０が既に配分されている場合には、パイプライン作成ステップ８１０は任意選択である。
【００８０】
エージェント割当てステップ８２０において、１つ以上の顧客サービスエージェント６２０が、パイプライン作成ステップ８１０において作成された要求パイプライン６１０に割り当てられる。本明細書において別の場所で言及されるように、この割当ては、パイプラインの特徴、顧客サービスエージェント６２０の権限、作業スケジュール及び／又は作業負荷、現在未完了の顧客サービス要求６１５の数等に基づくことができる。エージェント割当てステップ８２０は、顧客サービスエージェント６２０が現在の要求パイプライン６１０にあらかじめ割り当てられている実施形態では任意選択である。エージェント割当てステップ８２０は、任意選択で、エージェント割当てロジック５１０を用いて実行され
る。
【００８１】
要求受信ステップ８３０において、顧客サービス要求６１５がアクセスデバイス１１０のうちの１つから受信される。要求受信ステップ８３０は、要求受信ステップ４１０の一実施形態である。認証ステップ８４０において、受信された顧客サービス要求６１５の発信元が認証される。認証は、例えば、アクセスデバイス１１０Ａ、ＣＲＭシステム１２０Ａ及び／又は図４に示されるステップを用いて、本明細書において別の場所で説明されるように実行することができる。要求を行う人（要求者）、要求がそこから送信されるアクセスデバイス１１０の一方又は両方が認証される場合がある。
【００８２】
要求仕分けステップ８５０において、要求受信ステップ８３０において受信された顧客サービス要求６１５が、要求パイプライン６１０のうちの１つに割り当てられる。この割当ては、例えば、要求が認証されたか否か、要求者によって与えられる情報、要求パイプライン６１０の特徴、及び／又は本明細書において論じられる基準のうちの他のいずれかに基づく。要求仕分けステップ８５０は、任意選択で、仕分けロジック５２０を用いて実行される。要求パイプライン６１０のうちの１つに入れられると、キュー内の要求の位置が、順序付けロジック５３０を用いて管理される。
【００８３】
任意選択のコールバックスケジューリングステップ８６０において、顧客サービス要求６１５のためのコールバックが、スケジューリングロジック２６５を用いてスケジューリングされる。スケジューリングは、エージェントスケジュール７２０に基づき、任意選択で顧客スケジュール７１０に基づく。コールバックスケジューリングステップ８６０は、顧客サービスエージェント６２０が顧客サービス要求６１５に応答するのに要求される時間の推定値を利用することができる。例えば、スケジューリングロジック２６５は、顧客サービスエージェント６２０が十分な時間にわたって応対可能であるのを確実にするために、コールバックがスケジューリングされている顧客サービス要求６１５への回答にどの程度の時間を要するかを考慮することができる。別の例において、スケジューリングロジック２６５は、顧客サービスエージェント６２０のうちの１つが予定されたコールバックに応対可能であることを確実にするために、予定されていない顧客サービス要求６１５にどの程度の時間を要するかの推定値を使用することができる。
【００８４】
任意選択のＡｄ提供ステップ８７０において、広告サーバー１３０を用いて、顧客サービス要求６１５がそこから受信された発信元（例えば、アクセスデバイス１１０のメンバー）への広告を選択し、提供する。広告の選択は、任意選択で、発信元が認証ステップ８４０において認証された後にのみ入手可能な情報に基づく。例えば、広告選択は、銀行口座の残高、又は発信元とＣＲＭシステム１２０Ａとの間のインタラクトの顧客サービス要求履歴に基づくことができる。本明細書において別の場所で論じられるように、広告はディスプレイ２１５上に提示することができる。Ａｄ提供ステップ８７０は、任意選択で、顧客サービス要求６１５が要求パイプライン６１０のうちの１つにおいて待っている間に行われる。
【００８５】
サービス提供ステップ８８０において、要求された顧客サービスが顧客サービスエージェント６２０のうちの１つに与えられ、その後、その顧客サービスエージェントが要求されたサービスを提供する。このステップは通常、関連する顧客サービス要求６１５が要求パイプライン６１０のうちの１つの最終位置に達したときに行われる。本明細書において別の場所で論じられたように、提供されるサービスは、要求の発信元が認証されたために（のみ）入手可能なデータを利用することができる。
【００８６】
幾つかの実施形態が本明細書において具体的に例示され、及び／又は説明される。しかしながら、本発明の趣旨及び意図した範囲から逸脱することなく、複数の変更及び変形が
上記の教示によって包含され、添付の特許請求の範囲内にあることは理解されよう。例えば、本明細書において論じられる「顧客サービスエージェント」は、「販売代理店」又は他の人員とすることができる。
【００８７】
本明細書において論じられる実施形態は、本発明の例示である。本発明のこれらの実施形態が説明図を参照しながら説明されるとき、説明された方法及び／又は具体的な構造の種々の変更及び改変が、当業者には明らかになる場合がある。本発明の教示に頼り、これらの教示がそれを通して当該技術分野を進歩させる全てのそのような変更、改変又は変形が、本発明の趣旨及び範囲内にあると見なされる。本発明は例示される実施形態のみに決して限定されないと理解されるので、それゆえ、これらの説明及び図面は、限定する意味があると見なされるべきではない。
【００８８】
本明細書において参照されるコンピューティングシステムは、集積回路、マイクロプロセッサ、パーソナルコンピューター、サーバー、分散コンピューティングシステム、通信デバイス、ネットワークデバイス等、そしてそれらの種々の組み合わせを備えることができる。また、コンピューティングシステムは、ランダムアクセスメモリ（ＲＡＭ）、ダイナミックランダムアクセスメモリ（ＤＲＡＭ）、スタティックランダムアクセスメモリ（ＳＲＡＭ）、磁気媒体、光媒体、ナノ媒体、ハードドライブ、コンパクトディスク、デジタル多用途ディスク（ＤＶＤ）、及び／又はデータベース内のようなアナログ及び／又はデジタル情報を記憶するために構成される他のデバイスのような揮発性及び／又は不揮発性メモリを備えることもできる。本明細書において言及されるロジックの種々の例は、ハードウェア、ファームウェア、コンピューター可読媒体上に記憶されるソフトウェア、又はその組み合わせを含むことができる。コンピューター可読媒体は、本明細書において使用されるときに、紙を明確に除外する。本明細書において言及される方法のコンピューター実施ステップは、実行されるときに、コンピューティングシステムにそれらのステップを実行させる、コンピューター可読媒体上に記憶される命令の組を含むことができる。プログラムソフトウェアからの命令に従って特定の機能を実行するようにプログラムされたコンピューターシステムは、それらの特定の機能を実行するための専用コンピューティングシステムである。これらの特定の機能を実行する間に専用コンピューティングシステムによって操作されるデータは、コンピューティングシステムのバッファ内に少なくとも電子的に保存され、記憶されたデータにそれぞれ変更を加えながら、専用コンピューティングデバイスを１つの状態から次の状態に物理的に変更する。本明細書において論じられるロジックは、ハードウェア、ファームウェア、及び／又は非一時的コンピューター可読媒体上に記憶されるソフトウェアを含むことができる。このロジックは、専用コンピューティングデバイスを作製するために電子デバイス内に実装することができる。
【図１】
2020113308.tif 000003
【図２】
2020113308.tif 000004
【図３】
2020113308.tif 000005
【図４】
2020113308.tif 000006
【図５】
2020113308.tif 000007
【図６】
2020113308.tif 000008
【図７】
2020113308.tif 000009
【図８】
2020113308.tif 000010